(57)【要約】【課題】ペンダント装飾性を高くすることができ、小型化が容易であり、指輪が脱落するおそれのより少ないネックレス用指輪着脱具の提供【解決手段】リングを２分割した形状の１対のリング構成部２ａ，２ｂをもって指輪通し用リングを構成させ、両リング構成部の基端間が、両リング構成部の先端側が互いに接近離反する方向に回動可能に枢着されており、両リング構成部の先端にそれぞれ紐通し用小リング５ａ，５ｂが一体に成形され、両リング構成部を互いに接近する方向に回動させることによって、両紐通し用小リング部が同軸心配置に重なり合うようになっており、いずれかのリング構成部を指輪に通し、両紐通し用小リングを互いに重なり合う側に回動させ、その重なり合った両リング内にネックレス１１を通すようにする。【選択図】図１
2017047068.tif 000002
【特許請求の範囲】
【請求項１】
リングを２分割した形状の１対のリング構成部をもって指輪通し用リングを構成させ、
前記両リング構成部の基端間が、該両リング構成部の先端側が互いに接近離反する方向に回動可能に枢着されており、
前記両リング構成部の先端にそれぞれ紐通し用小リングが一体に成形され、前記両リング構成部を互いに接近する方向に回動させることによって、前記両紐通し用小リング部が同軸心配置に重なり合うようになっており、
前記いずれかのリング構成部を指輪に通し、前記両紐通し用小リングを互いに重なり合う側に回動させ、その重なり合った両リング内にネックレスを通すことにより、両リング構成部によって構成される指輪通し用リングが開き止めされるようにしたネックレス用指輪着脱具。
【請求項２】
前記両紐通し用小リングの少なくとも一方は、互いに間隔を隔てて一方のリング構成部に一体化させた二重リング構造とし、該二重リング構造の紐通し用小リング間に他方の紐通し用小リングが挿入される構造とした請求項１に記載のネックレス用指輪着脱具。
【請求項３】
前記指輪通し用リングは全体の外形が縦長形状に形成され、前記紐通し用小リングは、前記縦長の長径側端部内にあって、該指輪通し用リングを構成している両リング構成部の先端を前記指輪通し用リングの内側に折り返す側に湾曲させた形状に形成されている請求項１又は２に記載のネックレス用指輪着脱具。
【請求項４】
前記指輪通し用リングには、その縦長の前記紐通し用小リング部分の反対側端部にペンダントヘッド取付用小リングが一体に形成され、該ペンダントヘッド取付用小リングにペンダントヘットを吊り下げた請求項３に記載のネックレス用指輪着脱具。
【発明の詳細な説明】
【技術分野】
【０００１】
本発明は、指輪をネックレスに着脱可能に装着し、ペンダントとして使用するためのネックレス用指輪着脱具に関する。
【背景技術】
【０００２】
一般に、指輪を、その本来の使用方法である指にはめる他にペンダントヘッドとして利用する方法が知られている。その最も簡易なものとして、指輪にネックレスを通し、これを首に掛ける方法である。
【０００３】
この他、ネックレスを通したペンダントトップに指輪を取り換え可能に保持させるようにしたもの、例えば、リング状のペンダントトップに、指輪通し部を形成しておき、この指輪通し部にリング内側には開くが、外側には開かない構造の逆止め式のドアを取り付けておき、このドアを外側から押し開いて指輪を装着するようにし、かつリング状のペンダントトップの外周にネックレスを通す部分を一体に備えたもの（特許文献１）がある。
【先行技術文献】
【特許文献】
【０００４】
【特許文献１】特開２００６−１１３９７０号公報
【発明の開示】
【発明が解決しようとする課題】
【０００５】
上述した特許文献１に示されているような従来のネックレス用指輪脱着具は、ネックレスを通す部分と指輪を着脱するための逆止め式のドアとを別々の箇所の設ける必要があり、また、逆止め式のドア構造の小型化に限界があり、ペンダントトップとして目立たない大きさとすることが困難であるため装飾的効果が低下する。
【０００６】
また、上記逆止め式ドアは、逆止めのためのバネを組み込んだ機械式構造であるため、壊れる恐れがあり、知らないうちに高価な指輪が抜け落ちるという危険性がある等の問題が等の問題があった。
【０００７】
本発明はこのような従来の問題に鑑み、ペンダントトップ自体の装飾性を高くすることができ、小型化が容易であり、ネックレスが外れない限り指輪が脱落するおそれのより少ないネックレス用指輪着脱具の提供を目的としてなされたものである。
【課題を解決するための手段】
【０００８】
上述した従来の問題を解決するための本発明の第１の特徴は、リングを２分割した形状の１対のリング構成部をもって指輪通し用リングを構成させ、前記両リング構成部の基端間が、該両リング構成部の先端側が互いに接近離反する方向に回動可能に枢着されており、前記両リング構成部の先端にそれぞれ紐通し用小リングが一体に成形され、前記両リング構成部を互いに接近する方向に回動させることによって、前記両紐通し用小リング部が同軸心配置に重なり合うようになっており、前記いずれかのリング構成部を指輪に通し、前記両紐通し用小リングを互いに重なり合う側に回動させ、その重なり合った両リング内にネックレスを通すことにより、両リング構成部によって構成される指輪通し用リングが開き止めされるようにしたネックレス用指輪着脱具にある。
【０００９】
本発明の第２の特徴は、前記両紐通し用小リングの少なくとも一方は、互いに間隔を隔てて一方のリング構成部に一体化させた二重リング構造とし、該二重リング構造の紐通し用小リング間に他方の紐通し用小リングが挿入される構造としたことにある。
【００１０】
本発明の第３の特徴は、前記指輪通し用リングは全体の外形が縦長形状に形成され、前記紐通し用小リングは、前記縦長の長径側端部内にあって、該指輪通し用リングを構成している両リング構成部の先端を前記指輪通し用リングの内側に折り返す側に湾曲させた形状に形成されていることにある。
【００１１】
本発明の第４の特徴は、前記指輪通し用リングには、その縦長の前記紐通し用小リング部分の反対側端部にペンダントヘッド取付用小リングが一体に形成され、該ペンダントヘッド取付用小リングにペンダントヘットを吊り下げたことにある。
【発明の効果】
【００１２】
本発明は、上記第１の特徴のように、リングを２分割した形状の１対のリング構成部をもって指輪通し用リングを構成させ、前記両リング構成部の基端間が、該両リング構成部の先端側が互いに接近離反する方向に回動可能に枢着されており、前記両リング構成部の先端にそれぞれ紐通し用小リングが一体に成形され、前記両リング構成部を互いに接近する方向に回動させることによって、前記両紐通し用小リング部が同軸心配置に重なり合うようになっており、前記いずれかのリング構成部を指輪に通し、前記両紐通し用小リングを互いに重なり合う側に回動させ、その重なり合った両リング内にネックレスを通すことにより、両リング構成部によって構成される指輪通し用リングが開き止めされるようにしたことにより、指輪の装着及び外れ止めは、両リング構成部を、その先端の紐通し用小リングが重なり合う側に互いに回動させ、その重なり合った紐通し用小リング内にネックレスを通すことによってリング構成部によって構成される閉鎖状態の指輪保持リングの開きとめがなされることとなり、簡単な構造で安全性の高いネックレス用指輪着脱具となる。
【００１３】
また、本発明は、上記第２の特徴のように、前記両紐通し用小リングの少なくとも一方は、互いに間隔を隔てて一方のリング構成部に一体化させた二重リング構造とし、該二重リング構造の紐通し用小リング間に他方の紐通し用小リングが挿入される構造としたことにより、２つの固定配置にある一方の紐通し用小リング間に他方の紐通し用小リングが挿入された状態で、それらの紐通し用小リング内にネックレスを挿通することによってリング構成部先端の開きが防止され、使用時の形状が安定し、デザイン性が使用中に損なわれることがなくなる。
【００１４】
本発明は、前記の第３の特徴のように、前記指輪通し用リングは全体の外形が縦長形状に形成され、前記紐通し用小リングは、前記縦長の長径側端部内にあって、該指輪通し用リングを構成している両リング構成部の先端を前記指輪通し用リングの内側に折り返す側に湾曲させた形状に形成されていることにより、全体が滑らかな外観を呈し、装飾性の高いものとなる。
【００１５】
本発明は、上記第４の特徴のように、前記指輪通し用リングには、その縦長の前記紐通し用小リング部分の反対側端部にペンダントヘッド取付用小リングが一体に形成され、該ペンダントヘッド取付用小リングにペンダントヘットを吊り下げたことにより、使用時には、指輪のリング部内にペンダントヘッドを位置させることができ、指輪に取り付けられている宝石などの装飾とペンダントヘッドとが融合したデザインとなって装飾性が高くなるとともに、手持ちの指輪を取り換え使用することによって多種類のペンダントとして楽しむことができる。
【図面の簡単な説明】
【００１６】
【図１】本発明に係るネックレス用指輪着脱具の使用状態を示す斜視図である。
【図２】同上の正面図である。
【図３】同上の指輪を切断して示す側面図である。
【図４】図１に示すネックレス用指輪着脱具の開き状態を示す分解斜視図である。
【発明を実施するための最良の形態】
【００１７】
本発明の実施の形態を、図面について説明する。
【００１８】
このネックレス用指輪着脱具１は、リングを２分割した形状の一対のリング構成部２ａ，２ｂを有している。このリング構成部２ａ，２ｂは、それぞれの基端間が、各リング構成部２ａ，２ｂの長さ方向に直行する方向に向けた枢軸３をもって連結され、その枢軸３を中心にして、先端側が互いに接近・離反する方向に回動できるように連結されている。
【００１９】
リング構成部２ａ，２ｂは、それぞれ弧状に形成され、その弧状の凹部４，４が互いに向き合うように基端間が枢軸３によって連結されている。
【００２０】
両リング構成部２ａ，２ｂの内の一方のリング構成部２ａの先端側、即ち枢軸３側とは反対側の端部には、幅方向に間隔を隔てて二重配置に一対の紐通し用小リング５ａ，５ａが一体に形成されており、他方リング構成部２ｂの先端側には１つの紐通し用小リング５ｂが一体に形成されている。
【００２１】
そして両リング構成部２ａ，２ｂを、その先端が接近する方向に互いに回動させることにより、一対の紐通し用小リング５ａ，５ａ間に１つの紐通し用小リング５ａ，５ｂｂが挿入され、各紐通し用小リング５ａ，５ａ，５ｂが幅方向に重なり、それらの内側が幅方向に連通する配置となるように構成されている。
【００２２】
この一方のリング構成部２ａの紐通し用小リング５ａ，５ａは、リング構成部２ａを分岐させ、それらの延長部分をリング構成部２ａの凹部４側に折り返すように湾曲させて先端をリング構成部２ａ，の内側面に溶接又は蝋付けしてリング状としている。
【００２３】
また、他方のリング構成部２ｂの紐通し用小リング５ｂは、前述と同様にリング構成部２ｂの先端の延長部をリング構成部２ｂの凹部４側に折り返すように湾曲させて先端をリング構成部２ｂの内側面に溶接又は蝋付けしてリング状としている。
【００２４】
この両リング構成部２ａ，２ｂの紐通し用小リング５ａ，５ａ，５ｂを重ね合わせることによって、全体の外形が楕円形状となり、その上部内側に紐通し用小リング５ａ，５ａ，５ｂが、下側に枢軸３が位置するように構成されている。
【００２５】
枢軸３の位置は、上下の向きの上記楕円形の真下部分よりやや側部にずれた位置となっており、上記楕円形の真下となる部分の一方のリング構成部２ａの下側面に、円環状のペンダントヘッド取付用小リング６が溶接されている。このペンダントヘッド取付用小リング６の向きは、両リング構成部２ａ，２ｂによって形成される楕円形と同じ向き、即ち中空軸心が平行となる配置となっている。
【００２６】
このペンダントヘッド取付用小リング６に、所望のペンダントヘッド７を必要に応じ小リングなどの取付具８を使用して吊り下げる。尚、ペンダントヘッド取付用小リング６とペンダントヘッド７の大きさは、後述するように両リング構成部２ａ，２ｂによって構成される指輪保持リングに指輪１０を通して吊り下げた際に、ペンダントヘッド７が指輪１０のリング部１０ａ内の位置に吊り下げられるように選定する。
【００２７】
このネックレス用指輪着脱具の使用に際しては、図４に示すように両リング構成部２ａ，２ｂを、その先端側が開くように回動させる。この状態でいずれか一方リング構成部２ａ又は２ｂを指輪１０内に挿入し、両リング構成部２ａ，２ｂを、その一方の先端の両紐通し用小リング５ａ，５ａ間に他方の紐通し用小リンク５ｂが入り込むように回動させる。この状態で両リング構成部２ａ，２ｂによって形成される楕円形の指輪保持リングが閉鎖状態となり、指輪１０は取り外し不能となる。
【００２８】
次いで、互いに連通配置にある紐通し用小リング５ａ，５ｂ，５ａ内にネックレス１１を通し、図  に示すように首に掛ける。この時、紐通し用小リング５ａ，５ｂ，５ａの中心軸方向がネックレスの長さ方向に向き、即ち使用者の胸乃至首の前面に対して横向き傾向となり、楕円形のネックレス用指輪着脱具１も同様の横向き傾向となる。
【００２９】
このため、図２に示すように指輪１０は指輪保持リングに対して直行向き傾向となるため、指輪のリング部１０ａ内が使用者に対して前向き傾向となり、そのリング部１０ａ内にペンダントヘッド７が吊り下げられた配置となる。
【００３０】
なお、上述の例では二重配置の一方の紐通し用小リング５ａ，５ａ間に１つの他方の紐通し用小リング５ｂを挿入させる構造としているが、この他、両方とも１重の紐通し用小リング５ａ，５ｂとし、両者を重ね配置にしてその内部にネックレスを挿入するようにしてもよい。
【００３１】
また両リング構成部２ａ，２ｂによって構成される指輪保持リングを楕円形としているが、正方形や菱形その他の多角形や円形等、各種の形状とすることができる。
【００３２】
更に、紐通し用小リング５ａ，５ｂは、リング構成部２ａ，２ｂの延長部を円形に湾曲させて角のない滑らかなリング状を形成しているが、この他、角形のリング状であってもよく、また、別途に形成したリング状部材を溶接や蝋付けによって一体化させたものであってもよい。
【符号の説明】
【００３３】
１  ネックレス用指輪着脱具
２ａ，２ｂ  リング構成部
３  枢軸
４  凹部
５ａ，５ｂ  紐通し用小リング
６  ペンダントヘッド取付用小リング
７  ペンダントヘッド
８  取付具
１０  指輪
１０ａ  リング部
１１  ネックレス
【図１】
2017047068.tif 000003
【図２】
2017047068.tif 000004
【図３】
2017047068.tif 000005
【図４】
2017047068.tif 000006